(57)【特許請求の範囲】
【請求項１】
左右方向に間隔をあけて建物の躯体に固定された縦材と、
前記縦材のみに取り付けられ、前記建物の外面又は内面を構成する複数のパネルと、
前記縦材のみに取り付けられ、前記パネルと面外方向の厚み及び縦方向の長さが略同じとされ、前記パネルと共に前記建物の外面又は内面を構成する複数のサッシと、
を備える建物の壁構造。
【請求項２】
前記サッシは、
上端部前面に凹設され、上側に配置された前記パネルの下端部前面から垂下するパネル側垂下片部によって覆われるサッシ側段差部と、
下端部前面から垂下し、下側に配置された前記パネルの上端部前面に凹設されたパネル側段差部を覆うサッシ側垂下片部と、
を備える請求項１に記載の建物の壁構造。
【請求項３】
上側に配置されたサッシの前記サッシ側垂下片部が、前記上側に配置されたサッシの下側に配置されたサッシの前記サッシ側段差部を覆うように、サッシ同士が上下に並んで配置されている部位を有する、
請求項２に記載の建物の壁構造。
【請求項４】
前記サッシが前記建物の外面又は内面に着脱するために必要な該サッシの上下方向の移動代が、該サッシの下端と、該サッシの下側に配置された前記パネル又は前記サッシの上端と、の間に形成されている、
請求項１〜請求項３のいずれか１項に記載の建物の壁構造。
【請求項５】
前記サッシの角部には、隣接する前記パネル又は前記サッシとの境界との隙間を止水する止水部材が設けられている、
請求項１〜請求項４のいずれか１項に記載の建物の壁構造。
【請求項６】
パネルが接合される左右方向に間隔をあけて建物の躯体に固定された縦材のみに接合され、前記パネルと共に前記建物の外面又は内面を構成し、前記パネルと面外方向の厚み及び縦方向の長さが略同じとされるサッシ本体と、
前記サッシ本体の上端部前面に凹設され、前記パネルの下端部前面から垂下するパネル側垂下片部によって覆われることが可能なように構成されたサッシ側段差部と、
前記サッシ本体の下端部前面から垂下し、前記パネルの上端部前面に凹設されたパネル側段差部を覆うことが可能なように構成されたサッシ側垂下片部と、
を備えるサッシ。
【請求項７】
上端部前面に凹設されたパネル側段差部と下端部前面から垂下したパネル側垂下片部とを有するパネルと、
前記パネルと面外方向の厚み及び縦方向の長さが略同じとされ、上端部前面に凹設されたサッシ側段差部と下端部前面から垂下したサッシ側垂下片部とを有するサッシと、
を、
前記パネル側段差部又は前記サッシ側段差部を、上側に配置する前記パネル側垂下片部又は前記サッシ側垂下片部が覆うように、
左右方向に間隔をあけて建物の躯体に固定された縦材のみに、前記パネル及び前記サッシを取り付けていく、
建物の壁の構築方法。
【発明の詳細な説明】
【技術分野】
【０００１】
本発明は、建物の壁構造、サッシ、及び建物の壁の構築方法に関する。
【背景技術】
【０００２】
耐火性能および断熱性能を確保するため建物の外壁を断熱パネルで構成した建物構造が知られている（例えば、特許文献１を参照）。
【０００３】
また、建物の外壁の開口部に窓枠として用いるサッシ（建材）が設けられている（例えば、特許文献２を参照）。
【０００４】
そして、スターター材を介して断熱パネルをサッシ上に固定支持させると共に、断熱パネルとスターター材及びサッシとの間にコーキング剤を充填してシールした施工構造が開示されている（例えば、特許文献３を参照）。
【０００５】
ここで、サッシと断熱パネルとで外壁の外面を構成する場合、断熱パネルが取り付けられる下地鉄骨とは別に専用のサッシ用の鉄骨下地を設けて、このサッシ用の鉄骨下地にサッシを取り付けることが一般的とされている。よって、サッシと断熱パネルとで外壁の外面を構成する建物は、断熱パネルのみで外壁を構成する場合と比較し、施工が複雑であり、施工時間がかかることが多い。
【先行技術文献】
【特許文献】
【０００６】
【特許文献１】特許第４４１０５７１号
【特許文献２】特許２００７−２１１４９２号公報
【特許文献３】特許２００４−１９７３６５号
【発明の概要】
【発明が解決しようとする課題】
【０００７】
本発明は、上記事実を考慮し、パネルと共に建物の外面（建物外部の壁面）又は内面（建物内部の壁面）を構成するサッシを容易に取り付けることができる建物の壁構造、サッシ、及び建物の壁の構築方法を提供することが目的である。
【課題を解決するための手段】
【０００８】
請求項１の発明は、左右方向に間隔をあけて建物の躯体に固定された縦材と、前記縦材のみに取り付けられ、前記建物の外面又は内面を構成する複数のパネルと、前記縦材のみに取り付けられ、前記パネルと面外方向の厚み及び縦方向の長さが略同じとされ、前記パネルと共に前記建物の外面又は内面を構成する複数のサッシと、を備える。
【０００９】
請求項１の発明では、建物の外面又は内面を構成する複数のパネルが取り付けられる縦材のみに、パネルと共に建物の外面又は内面を構成する複数のサッシを取り付けるので、別途専用の鉄骨下地を設けてサッシを取り付ける構成と比較し、施工が容易である。
【００１０】
請求項２の発明は、前記サッシは、上端部前面に凹設され、上側に配置された前記パネルの下端部前面から垂下するパネル側垂下片部によって覆われるサッシ側段差部と、下端部前面から垂下し、下側に配置された前記パネルの上端部前面に凹設されたパネル側段差部を覆うサッシ側垂下片部と、を備える。
【００１１】
請求項２の発明では、サッシの上端部前面に凹設されたサッシ側段差部が上側に配置されたパネルの下端部前面から垂下するパネル側垂下片部によって覆われ、サッシの下端部前面から垂下するサッシ側垂下片部が下側に配置されたパネルの上端部前面に凹設されたパネル側段差部が覆われる。よって、サッシとパネルとの間に、例えば、別途スターター材を挟んでサッシが取り付けられる構成と比較し、施工が容易である。
【００１２】
請求項３の発明は、上側に配置されたサッシの前記サッシ側垂下片部が、前記上側に配置されたサッシの下側に配置されたサッシの前記サッシ側段差部を覆うように、サッシ同士が上下に並んで配置されている部位を有する。
【００１３】
請求項３の発明では、サッシ同士を上下方向に容易に配置して縦材に取り付けられる。
【００１４】
請求項４の発明は、前記サッシが前記建物の外面又は内面に着脱するために必要な該サッシの上下方向の移動代が、該サッシの下端と、該サッシの下側に配置された前記パネル又は前記サッシの上端と、の間に形成されている。
【００１５】
請求項４の発明では、サッシを上下方向にケンドン式に移動させることで、建物の外面又は内面に着脱することができるので、サッシの交換、位置変更、及び後付け等の施工が容易である。
【００１６】
請求項５の発明は、前記サッシの角部には、隣接する前記パネル又は前記サッシとの境界との隙間を止水する止水部材が設けられている。
【００１７】
請求項５の発明では、サッシの角部に設けられた止水部材によって止水性能が向上する。
【００１８】
請求項６の発明は、パネルが接合される左右方向に間隔をあけて建物の躯体に固定された縦材のみに接合され、前記パネルと共に前記建物の外面又は内面を構成し、前記パネルと面外方向の厚み及び縦方向の長さが略同じとされるサッシ本体と、前記サッシ本体の上端部前面に凹設され、前記パネルの下端部前面から垂下するパネル側垂下片部によって覆われることが可能なように構成されたサッシ側段差部と、前記サッシ本体の下端部前面から垂下し、前記パネルの上端部前面に凹設されたパネル側段差部を覆うことが可能なように構成されたサッシ側垂下片部と、を備える。
【００１９】
請求項６の発明では、パネルが接合される左右方向に間隔をあけて建物の躯体に固定された縦材のみにサッシ本体が接合されている。サッシ本体は、パネルと共に建物の外面又は内面を構成し、パネルと面外方向の厚み及び縦方向の長さが略同じとされる。そして、サッシ本体の上端部前面に凹設されたサッシ側段差部が上側に配置されたパネルの下端部前面から垂下するパネル側垂下片部によって覆われ、サッシ本体の下端部前面から垂下するサッシ側垂下片部が下側に配置されたパネルの上端部前面に凹設されたパネル側段差部が覆われる。よって、サッシ側段差部とサッシ側垂下片部とが設けられていないサッシと比較し、施工が容易である。
【００２０】
請求項７の発明は、上端部前面に凹設されたパネル側段差部と下端部前面から垂下したパネル側垂下片部とを有するパネルと、前記パネルと面外方向の厚み及び縦方向の長さが略同じとされ、上端部前面に凹設されたサッシ側段差部と下端部前面から垂下したサッシ側垂下片部とを有するサッシと、を、前記パネル側段差部又は前記サッシ側段差部を、上側に配置する前記パネル側垂下片部又は前記サッシ側垂下片部が覆うように、左右方向に間隔をあけて建物の躯体に固定された縦材のみに、前記パネル及び前記サッシを取り付けていく。
【００２１】
請求項７の発明では、サッシは、パネルと面外方向の厚み及び縦方向の長さが略同じとされている。パネル側段差部又はサッシ側段差部を、上側に配置する前記パネル側垂下片部又は前記サッシ側垂下片部が覆うように、パネル及びサッシを縦材のみに取り付けていくので、施工が容易である。
【発明の効果】
【００２２】
以上説明したように本発明によれば、パネルと共に建物の外面又は内面を構成するサッシを容易に取り付けることができる。
【図面の簡単な説明】
【００２３】
【図１】本発明の一実施形態に係る建物の外壁を面外方向外側から見た正面図である。
【図２】図１の２−２線断面図である。
【図３】図１の３−３線断面図である。
【図４】図１の４−４線断面図である。
【図５】図１の５−５線断面図である。
【図６】（Ａ）はサッシの上側の角部の止水構造を示す一部を切欠いた斜視図であり、（Ｂ）はサッシの下側の角部の止水構造を示す斜視図である。
【図７】外壁の施工方法の一例を（Ａ）〜（Ｃ）へと順番に示す工程図である。
【図８】図１に示す本発明の一実施形態の建物の外壁の変形例を示す拡大正面図である。
【発明を実施するための形態】
【００２４】
図１〜図７を用いて、本発明の一実施形態に係る建物の外壁について説明する。
なお、各図において、建物１０の外壁１２の面外方向外側（正面側、外面側、表側）方向を矢印ＯＵＴで示し、鉛直方向上側を矢印ＵＰで示し、正面視における建物１０の外壁１２の左側方向を矢印ＬＥＦＴで示す。なお、矢印ＯＵＴと反対側方向が建物１０の面外方向内側（内面側、裏側、室内側）方向であり、鉛直方向上側を矢印ＵＰと反対側方向が鉛直方向下側であり、矢印ＬＥＦＴと反対側方向が正面視における建物１０の右側方向である。
【００２５】
＜構造＞
まず、建物１０の外壁１２の構造について説明する。
【００２６】
図１に示すように、縦材の一例としての下地鉄骨５０が、鉛直方向を長手方向として配置されると共に、建物１０の基礎１４、スラブ、梁等の躯体に左右方向に間隔をあけて固定されている（図７も参照）。下地鉄骨５０の裏側には、下地鉄骨５０を連結する左右方向を長手方向として配置された横材２０（図７参照）が、上下方向に間隔をあけて取り付けられている。
【００２７】
なお、図７における横材２０の配置間隔は一例である。例えば、図７よりも配置間隔が広くてもよい。また、横材２０は無くてもよい。
【００２８】
図１に示すように、これら下地鉄骨５０に、建物１０の外面（建物外部の壁面）を構成する外壁パネルの一例としての断熱パネル１００と、断熱パネル１００と共に建物１０の外面を構成し窓枠として用いるサッシ（建材）２００と、が取り付けられている。そして、このように複数の断熱パネル１００とサッシ２００とが上下及び左右に多段に配置され、下地鉄骨５０に取り付けられることで、建物１０の外壁１２が構成されている。
【００２９】
図４に示すように、本実施形態では、下地鉄骨５０は、軸方向（長手方向、鉛直方向）と直交する断面形状が矩形状の中空の鉄骨部材とされている。なお、下地鉄骨５０は、本実施形態のような構成に限定されない。例えば、Ｈ形鋼などの形鋼であってもよい。
【００３０】
図２〜図４に示すように、断熱パネル１００は、表裏二枚の金属製の外皮材１１２と金属製の内皮材１１４との間に、高密度ロックウールや発泡性合成樹脂等の断熱材１１６が芯材として挟まれたパネル本体１１０を有している。
【００３１】
図２と図３とに示すように、パネル本体１１０の上端部にはパネル側凸部１２０が設けられると共に、下端部にはパネル側凸部１２０が係合（嵌合）するパネル側凹部１３０が設けられている。
【００３２】
上端部のパネル側凸部１２０は、パネル本体１１０の面外方向の厚みよりも幅狭とされ、上端面の一部を除き外皮材１１２及び内皮材１１４で被覆されている。また、パネル側凸部１２０の前面側（外面側）の凹設部分を前側のパネル側段差部１２２とし、後面側の凹設部分を後側のパネル側段差部１２４とする。
【００３３】
下端部のパネル側凹部１３０は、パネル側凸部１２０が係合（嵌合）するよう構成され、下端面の一部を除き除き外皮材１１２及び内皮材１１４で被覆されている。前面側（外面側）の外皮材１１２を後面側（裏面側）に向けて折り返すことにより、下端部前面から垂下する前側のパネル側垂下片部１３２が形成されている。同様に後面側の内皮材１１４を前側面（裏面側）に向けて折り返すことにより、下端部後面から垂下する後側のパネル側垂下片部１３４が形成されている。
【００３４】
そして、図２に示すように、上下方向に並んで配置された下側の断熱パネル１００のパネル側凸部１２０のパネル側段差部１２２、１２４を、上側の断熱パネル１００のパネル側凹部１３０のパネル側垂下片部１３２，１３４が挟み係合（嵌合）する。なお、本実施形態ではパネル側垂下片部１３２，１３４の幅をパネル側段差部１２２，１２４の厚みよりも若干狭くなるように設定されており、パネル側垂下片部１３２，１３４が弾性変形することで、パネル側凸部１２０が挿入され、パネル側垂下片部１３２，１３４がパネル側段差部１２２，１２４を挟み込むように構成されている。
【００３５】
また、断熱パネル１００は、パネル側凸部１２０の前側のパネル側段差部１２２からドリルビス等の固定具６０を打ち込むことで、下地鉄骨５０に固定されている。なお、固定具６０の頭部６２は、パネル側垂下片部１３２によって覆われ、前面側からは固定具６０の頭部６２が見えないように構成されている。
【００３６】
なお、本実施形態においては、上下の断熱パネル１００の間は、セラミックファイバー１４２とゴム製のパッキン１４４とで構成されたシール部材１４０でシールされている。
【００３７】
図１に示すように、サッシ２００は、建物１０の外壁開口部に設けられた固定窓（嵌め殺し窓、ＦＩＸ窓）とされている。図３と図５とに示すように、サッシ２００は、サッシ本体２１０と、サッシ本体２１０の上端部に設けられたサッシ側凸部２２０と、サッシ本体２１０の下端部に設けられたサッシ側凹部２３０と、を有している。
【００３８】
図３〜図５に示すように、サッシ本体２１０は、四周を枠組みしたアルミ製の窓枠２１２を有し、窓枠２１２の中に二枚のガラスパネル（複層ガラス）２１４，２１６が嵌め込まれている。また、サッシ本体２１０の面外方向の厚みは、断熱パネル１００のパネル本体１１０の面外方向の厚みと略同じとされている。
【００３９】
図３と図５とに示すように、サッシ本体２１０の下端部のサッシ側凹部２３０は、断熱パネル１００のパネル側凹部１３０と略同様の外形とされ断熱パネル１００のパネル側凸部１２０が挿入することが可能な形状とされている。同様にサッシ本体２１０の上端部のサッシ側凸部２２０は、断熱パネル１００のパネル側凸部１２０と略同様の外形とされパネル側凹部１３０に挿入することが可能な形状とされている。
【００４０】
上端部のサッシ側凸部２２０は、サッシ本体２１０の面外方向の厚みよりも幅狭とされている。また、サッシ側凸部２２０の前面側（外面側）の凹設部分を前側のサッシ側段差部２２２とし、後面側の凹設部分を後側のサッシ側段差部２２４とする。
【００４１】
下端部のサッシ側凹部２３０は、下端部前面から垂下するサッシ側垂下片部２３２が形成されることによって構成されている。なお、本実施形態では、パネル側垂下片部１３４に相当する部位はサッシ２００のサッシ側下端部後面にはない構成となっている。
【００４２】
下端部のサッシ側凹部２３０の上面部分は、面外方向外側に向かって下り勾配の傾斜面２５２が形成されている。また、サッシ本体２１０とサッシ側凹部２３０との境界部分の外壁面部分には、水抜切欠部２５４が形成されている。
【００４３】
そして、下側に配置された断熱パネル１００のパネル側凸部１２０がサッシ２００の下端部のサッシ側凹部２３０に挿入されると共に、パネル側段差部１２２をサッシ側垂下片部２３２が覆うように配置されている。なお、パネル側段差部１２２をサッシ側垂下片部２３２との間には若干隙間が形成されているが、後述する止水部材１５６の垂下部１５７（図６（Ｂ）参照）が挟まれ、この隙間が埋まるように構成されている。
【００４４】
また、上側に配置された断熱パネル１００のパネル側凹部１３０にサッシ２００の上端部のサッシ側凸部２２０が挿入されると共に、パネル側垂下片部１３２，１３４が挟みパネル側段差部２２２，２２４を覆うように配置されている。なお、本実施形態ではパネル側垂下片部１３２，１３４の幅をパネル側段差部２２２，２２４の厚みよりも若干狭くなるように設定されており、パネル側垂下片部１３２，１３４が弾性変形することで、サッシ側凸部２２０が挿入され、パネル側垂下片部１３２，１３４がサッシ側段差部２２２，２２４を挟み込むように構成されている。
【００４５】
図３〜図５に示すように、サッシ２００は、上端部の裏面と下端部の裏面とが、下地鉄骨５０に設けられた取付部材の一例としてＬ字形状のブラケット７０にボルト１５及びナット１６等によって取り付けられている。なお、サッシ２００の上端部は、ブラケット７０に上部に設けられたブラケット８０がサッシ２００の自重を受けると共にボルト１７及びナット１８によってサッシ２００の高さを調整することが可能なように、取り付けられている。
【００４６】
図５に示すように、サッシ２００同士が上下方向に並んで配置された箇所（図１も参照）は、下側に配置されたサッシ２００のサッシ側凸部２２０に、上側のサッシ２００の下端部のサッシ側凹部２３０が挿入されると共に、サッシ側段差部２２２をサッシ側垂下片部２３２が覆うように配置されている。
【００４７】
図３に示すように、断熱パネル１００及びサッシ２００を下地鉄骨５０に取り付けた状態では、サッシ２００のサッシ本体２１０の下端２１０Ｔと、断熱パネル１００の上端１００Ｕとの間には、移動代（間隔）Ｅが設けられている。なお、図５に示すように、サッシ２００同士が上下方向に並んで配置された箇所は、サッシ２００のサッシ本体２１０の下端２１０Ｔとサッシ２００の上端２００Ｕとの間にも同様に移動代（間隔）Ｅが設けられる。
【００４８】
図１に示すように、断熱パネル１００の横方向の長さ及び縦方向の長さと、サッシ２００の横方向の長さ及び縦方向の長さと、は略同じとされている。別の言い方をすると、サッシ２００は、面外方向に見た外形が断熱パネル１００の外形と同形状又は略同形状となるように構成されている。
【００４９】
また、図３と図４とに示すように、断熱パネル１００のパネル本体１１０の厚みとサッシ２００のサッシ本体２１０の面外方向の厚みとが略同じとされている。よって、断熱パネル１００及びサッシ２００を下地鉄骨５０に取り付けた状態において、断熱パネル１００のパネル本体１１０の前面１１０Ａとサッシ２００のサッシ本体２１０の前面２１０Ａとは、面一又は略面一となる（外壁１２の外面１２Ａが面一又は略面一となる）。
【００５０】
また、図４に示すように、隣接する断熱パネル１００及びサッシ２００との境界は止水部材１５０で止水されている。
【００５１】
図６（Ａ）に示すように、サッシ２００の上部の角部には、隣接する断熱パネル１００又はサッシ２００との境界との隙間を止水する止水部材１５２が嵌め込まれている。更に、サッシ２００の上端部の内部には、横方向に沿って止水部材１５４が貼り付けられている。
【００５２】
また、図６（Ｂ）に示すように、サッシ２００の下部の角部には、隣接する断熱パネル１００又はサッシ２００との境界との隙間を止水する止水部材１５６が嵌め込まれている。止水部材１５６の略直方体の本体部１５５は、サッシ２００のサッシ本体２１０の下端２１０Ｔに設けられた移動代Ｅを埋めるように構成されている。また、本体部１５５から垂下する垂下部１５７は、サッシ側垂下辺部２３２とパネル側段差部１２２との間に挟まれるように構成さている。
【００５３】
なお、本実施形態では止水部材１５２，１５６は、ＥＰＤＭ等のゴム製とされているが、これに限定されない。例えば、発泡ゴム製であってもよい。
【００５４】
＜施工方法＞
つぎに、断熱パネル１００とサッシ２００とを、上下及び左右に多段に並置して、建物１０の外壁１２を施工する壁面施工方法について、図７を用いて説明する。なお、本施工方法（外壁の構築方法）は一例であって、これに限定されるものではない。なお、下地鉄骨５０への断熱パネル１００とサッシ２００の取付構造は、既に説明したので、ここでは説明を省略する。
【００５５】
図７（Ａ）〜図７（Ｃ）へと順番に示すように、下地鉄骨５０に原則として下側から順番に断熱パネル１００を取り付けていく。また、建物１０の開口部となる部位にはサッシ２００を取り付ける。また、下側に配置された断熱パネル１００のパネル側段差部１２２又はサッシ２００のサッシ側段差部２２２を、上側に配置する断熱パネル１００のパネル側垂下片部１３２又はサッシ２００のサッシ側垂下片部２３２が覆うように取り付けていく（図２、図３、図５も参照）。
【００５６】
＜作用及び効果＞
つぎに、本実施形態の作用及び効果について説明する。
【００５７】
建物１０の外面を構成する複数の断熱パネル１００が取り付けられる下地鉄骨５０に、複数のサッシ２００を取り付ける。サッシ２００は、面外方向に見た外形が断熱パネル１００の外形と同形状又は略同形状となるように構成されている。また、断熱パネル１００の仕口形状とサッシ２００の外形とが略同形状となっている。
【００５８】
そして、サッシ２００の上端部前面に凹設されたサッシ側段差部２２２が上側に配置された断熱パネル１００の下端部前面から垂下するパネル側垂下片部１３２によって覆われ、サッシ２００の下端部前面から垂下するサッシ側垂下片部２３２が下側に配置された断熱パネル１００の上端部前面に凹設されたパネル側段差部１２２が覆われる。また、サッシ２００同士が上下方向に並んで配置された箇所は、サッシ２００の上端部前面に凹設されたサッシ側段差部２２２が上側に配置されたサッシ２００の下端部前面から垂下するサッシ側垂下片部２３２で覆われる。
【００５９】
したがって、例えば、断熱パネル１００を取り付ける下地鉄骨５０を切断して別に専用のサッシ用の下地鉄骨を設け、このサッシ用の下地鉄骨にサッシが取り付けられる構成と比較し、施工が容易である。更に、サッシ２００同士を上下方向に並べて容易に下地鉄骨５０に取り付けられる。
【００６０】
また、断熱パネル１００を取り付ける金属工（作業者）が、サッシ２００を取り付けることが可能である。よって、施工効率が向上し工期の短縮が図れると共に、施工管理を合理化することができる
【００６１】
また、サッシ２００のサッシ側垂下片部２３２が、下側に配置された断熱パネル１００のパネル側段差部１２２又はサッシ２００のサッシ側段差部２２２で覆い、サッシ側垂下片部２３２が水返部材としての機能を果たすので、止水性能が確保されている。また、サッシ２００の角部にできる隙間を止水部材１５２，１５６で止水されている。特に、止水部材１５６の本体部１５５で下端２１０Ｔに設けられた移動代Ｅを埋めて止水し、垂下部１５７でサッシ側垂下辺部２３２とパネル側段差部１２２との間を埋めて止水する。
【００６２】
なお、仮にサッシ側垂下片部２３２とパネル側段差部１２２又はサッシ側段差部２２２との隙間から水が浸入したとしても、左右方向両側に水が流れ、サッシ２００の左右方向両端部を伝って下側に落下する。そして、図３の矢印Ｍで示すように、落下した水滴は、傾斜面２５２に沿って流れ、水抜切欠部２５４から排水されるように構成されている。よって、例えば、サッシの水返部材や水切部材等を別途設けることが不要となる。また、これにより外壁１２をよりフラットに構築することができる。
【００６３】
ここで、サッシ２００の厚みを断熱パネル１００と同じ又は略同じとすることで、外面１２Ａを面一又は略面一としつつ、断熱パネル１００が取り付けられる下地鉄骨５０にサッシ２００も取り付けることが可能となる。なお、「面一又は略面一とは」サッシ２００が若干張り出した構成や逆にサッシ２００が若干内側に配置されている構成も含まれる。なお、サッシの厚みが断熱パネル１００よりも厚い場合は、断熱パネル１００が取り付けられる下地鉄骨５０を切断し、内側に位置する専用のサッシ用の下地鉄骨を設け、このサッシ用の下地鉄骨に幅厚のサッシを取り付けることで、断熱パネル１００の外面と面一とする必要がある。
【００６４】
また、このようにサッシ２００を下地鉄骨５０に取り付ける構造とし、また断熱パネル１００と略同じ外形とすることで、サッシ２００の位置の変更（レイアウト変更）が自由となる。よって、サッシ２００に配置位置を取り付けの直前まで変更でき、建築主の要望に容易に応えることができる。
【００６５】
また、図３と図５とに示すサッシ２００のサッシ本体２１０の下側に設けた移動代Ｅを、サッシ２００を上下方向にずらして建物１０に着脱するために必要な隙間以上に設定することで、施工後にサッシ２００をケンドン式に上下方向に移動して容易に着脱することができる。よって、施工後にサッシ２００の位置を変更する必要が生じた場合、移動代Ｅが設けられていない構成と比較し、容易に変更することができる。なお、本実施形態では、移動代Ｅを止水部材１５６の本体部１５５で埋めている。よって、サッシ２００を上下方向に移動する場合は、止水部材１５６を切断する等して取り除く。止水部材１５６はゴムや発泡体であるので、容易に取り除くことができる。
【００６６】
＜変形例＞
つぎに上記実施形態の変形例について説明する。
【００６７】
上記実施形態では、サッシ２００は、面外方向に見た外形が断熱パネル１００の外形と同形状又は略同形状となるように構成されていたが、これに限定されない。例えば、図８に示す変形例のように、左右方向の長さが断熱パネル１００よりも短いサッシ２０１であってもよい。この場合、断熱パネル１００と同じ外形となるように、サッシ２０１の左右にスペーサパネル又はスペーササッシとしてのスペーサ部材１０１を設ければよい。
【００６８】
＜その他＞
尚、本発明は上記実施形態及び変形例に限定されない。
【００６９】
例えば、上記実施形態では、下地鉄骨５０に原則として下側から順番に断熱パネル１００を取り付け、建物１０の開口部となる部位にサッシ２００を取り付けていった。しかし、下側から順番に取り付けていかなくてもよい。例えば、サッシ２００の納入が間に合わなかった場合や納入されたサッシ２００の種類を変更する場合等には、サッシ２００よりも上側の断熱パネル１００を先に取り付けてもよい。また、このような場合、上記実施形態のように、サッシ２００のサッシ本体２１０の下端２１０Ｔと断熱パネル１００の上端１００Ｕとの間に、移動代（間隔）Ｅが設けられていると、容易にサッシ２００を後施工で取り付けることができるので、好適である。
【００７０】
また、例えば、上記実施形態では、サッシ２００は、断熱パネル１００が取り付けられた下地鉄骨５０に、取付部材の一例としてＬ字形状のブラケット７０を介して取り付けられていたが、これに限定されない。下地鉄骨５０に直接サッシ２００が取り付けられる構成であってもよい。つまり、サッシは縦材に直接又は取付部材を介して取り付けられる。
【００７１】
また、例えば、上記実施形態では、サッシ２００は縦材の一例としての下地鉄骨５０にのみに取り付けられていた。しかし、これに限定されない。例えば、下地鉄骨５０の裏側に配置された横材２０等の他の部材にも固定部材等を介して取り付けられていてもよい。つまり、サッシが縦材と他の部材との両方に取り付けられた構成であってもよい。但し、上記実施形態のように、サッシは縦材のみに取り付けられた構成であることが好ましい。そして、上記実施形態のように、サッシが縦材にのみ取り付ける構成とすることで、施工が容易となり、施工時間が大幅に短縮される。
【００７２】
また、例えば、上記実施形態では、縦材の一例としての下地鉄骨５０は、建物１０の基礎１４、スラブ、梁等の躯体に左右方向に間隔をあけて固定されていた。しかし、縦材が躯体の一部を兼ねるような建物構造であってもよい。
【００７３】
また、例えば、上記実施形態では、断熱パネル１００の後面にはパネル側垂下片部１３２を設けたが、これに限定されない。例えば、断熱パネルにパネル側垂下片部が設けられていない構成であってもよい。また、例えば、上記実施形態では外壁パネルの一例として断熱パネル１００を用いたが、これに限定されない。例えば、鋼板パネルやＡＬＣ板等であってもよい。
【００７４】
また、例えば、上記実施形態ではサッシ２００は、複層ガラスのサッシを一例として説明したが、これに限定されない。例えば、単板ガラスや三層ガラスのサッシであってもよい。
【００７５】
また、例えば、上記実施形態ではサッシ２００は、固定窓（嵌め殺し窓、ＦＩＸ窓）であったがこれに限定されない。例えば、突き出し（排煙・換気）機構を有する窓であってもよいし、ブラインド状の羽根板（桟）を取り付けて固定することで外部に対して目隠しをしながら換気ができるように構成されたガラリ（通気口）であってもよい。なお、ガラリの場合、サッシのフレーム（本体）が外壁パネルと面一又は略面一となるように構成する。つまり、ブラインド状の羽根板（桟）が外壁パネルよりも外側にはみ出ていても、サッシのフレーム（本体）が外壁パネルと面一又は略面一であれば、面一又は略面一とされる。
【００７６】
また、上記実施形態では、本発明を建物の外壁構造に適用した例で説明したが、これに限定されない。本発明は建物の内壁構造にも適用することができる。すなわち、内壁パネルと共に建物の内面（建物内部の壁面）を構成するサッシ、内壁パネルとサッシとで建物の内面を構成する内壁構造及び内壁の構築方法にも本発明を適用することができる。例えば、上記実施形態における外面及び外壁を内面及び内壁としたような構造となる。
【００７７】
更に、本発明の要旨を逸脱しない範囲において種々なる態様で実施し得ることは言うまでもない
【符号の説明】
【００７８】
１０      建物
１２      外壁
１２Ａ    外面
５０      下地鉄骨（縦材の一例）
１００      断熱パネル（パネルの一例）
１１０      パネル本体
１２２      パネル側段差部
１３２      パネル側垂下片部
１５２      止水部材
１５６      止水部材
２００      サッシ
２１０      サッシ本体
２２２      サッシ側段差部
２３２      サッシ側垂下片部
Ｅ      移動代
【図１】
0005801145.tif 000002
【図２】
0005801145.tif 000003
【図３】
0005801145.tif 000004
【図４】
0005801145.tif 000005
【図５】
0005801145.tif 000006
【図６】
0005801145.tif 000007
【図７】
0005801145.tif 000008
【図８】
0005801145.tif 000009